(57)【要約】【課題】  簡単な操作でクライアント側の画像処理装置から受信する画像データを通信装置に送信したり、サーバ側の画像処理装置が通信装置から受信した画像データをクライアント側の画像処理装置が受信したりすることである。【解決手段】  ＭＦＰ１０２からの要求に基づいて、ＦＡＸ１０７から受信した画像データをＭＦＰ１０２に転送するための識別情報をＭＦＰ１０１が発行する（Ｓ３０７）。そして、ＭＦＰ１０１は、ＭＦＰ１０２から受信する画像データ、前記識別情報、前記送信先情報に基づいて生成される送信情報をＦＡＸ１０７に送信する（Ｓ３１２）。そして、ＭＦＰ１０１は、ＦＡＸ１０７から受信する画像データから取得する識別情報に基づいて特定されるＭＦＰ１０２に対してネットワークを介して当該画像データを転送することを特徴とする。【選択図】  図３
2010232973.tif 000002
【特許請求の範囲】
【請求項１】
ネットワークを介して第１の画像処理装置から受信する第１の画像データを第２の画像処理装置が公衆回線に接続される通信装置に対して転送する画像転送システムであって、
前記第１の画像処理装置は、
前記第２の画像処理装置が前記通信装置から受信した第２の画像データを前記第１の画像処理装置に転送してもらうための識別情報の発行を前記第２の画像処理装置に要求する要求手段と、
前記第２の画像処理装置から発行された前記識別情報と前記通信装置に送信すべき第１の画像データと、前記通信装置を特定するための送信先情報とを前記ネットワークを介して前記第２の画像処理装置に送信する第１の送信手段と、を備え、
前記第２の画像処理装置は、
前記第１の画像処理装置からの要求に基づいて、前記通信装置から受信した第２の画像データを前記第１の画像処理装置に転送するための識別情報を発行する発行手段と、
前記第１の画像処理装置から受信する第１の画像データ、前記識別情報、前記送信先情報を前記通信装置に送信する第２の送信手段と、
前記通信装置から受信する第２の画像データから取得する識別情報に基づいて特定される第１の画像処理装置に対して前記ネットワークを介して当該画像データを転送する転送手段と、を備えることを特徴とする画像転送システム。
【請求項２】
前記第２の画像処理装置は、
前記発行手段が発行した識別情報と、前記通信装置から受信する第２の画像データを転送する転送先と、発信者番号とを対応づけた転送条件を記憶する記憶手段と、
前記第１の画像処理装置から画像データ転送要求を受信した場合に、前記記憶手段に記憶された転送条件の一覧を前記第１の画像処理装置に通知する通知手段と、を備え、
前記第１の画像処理装置は、
前記通知手段により通知される前記転送条件の一覧から転送条件を選択する選択手段を備えることを特徴とする請求項１記載の画像転送システム。
【請求項３】
前記第１の画像処理装置は、
第１の画像データを送信するための送信先を前記ネットワークに接続される複数の第２の画像処理装置から選択する送信先選択手段を備えることを特徴とする請求項１記載の画像転送システム。
【請求項４】
前記第１の画像処理装置は、
原稿画像を読み取る読み取り手段を備え、
前記第１の送信手段は、前記読み取り手段が読み取った画像データを前記第２の画像処理装置に送信することを特徴とする請求項１記載の画像転送システム。
【請求項５】
前記通信装置は、前記画像データを送受信するファクシミリ装置であることを特徴とする請求項１又は２記載の画像転送システム。
【請求項６】
ネットワークを介して第１の画像処理装置から受信する第１の画像データを第２の画像処理装置が公衆回線に接続される通信装置に対して転送する画像転送システムにおけるデータ転送方法であって、
前記第１の画像処理装置は、
前記第２の画像処理装置が前記通信装置から受信した第２の画像データを前記第１の画像処理装置に転送してもらうための識別情報の発行を前記第２の画像処理装置に要求する要求ステップと、
前記第２の画像処理装置から発行された前記識別情報と前記通信装置に送信すべき第１の画像データと、前記通信装置を特定するための送信先情報とを前記ネットワークを介して前記第２の画像処理装置に送信する第１の送信ステップと、を備え、
前記第２の画像処理装置は、
前記第１の画像処理装置からの要求に基づいて、前記通信装置から受信した第２の画像データを前記第１の画像処理装置に転送するための識別情報を発行する発行ステップと、
前記第１の画像処理装置から受信する第１の画像データ、前記識別情報、前記送信先情報を前記通信装置に送信する第２の送信ステップと、
前記通信装置から受信する第２の画像データに含まれる識別情報に基づいて特定される第１の画像処理装置に対して前記ネットワークを介して当該画像データを転送する転送ステップと、を備えることを特徴とするデータ転送方法。
【請求項７】
前記第２の画像処理装置は、
前記発行ステップが発行した識別情報と、前記通信装置から受信する第２の画像データを転送する転送先と、発信者番号とを対応づけた転送条件を記憶する記憶手段を備え、
前記第１の画像処理装置から画像データ転送要求を受信した場合に、前記記憶手段に記憶された転送条件の一覧を前記第１の画像処理装置に通知する通知ステップと、を備え、
前記第１の画像処理装置は、
前記通知ステップにより通知される前記転送条件の一覧から転送条件を選択する選択ステップを備えることを特徴とする請求項６記載のデータ転送方法。
【請求項８】
前記第１の画像処理装置は、
画像データを送信するための送信先を前記ネットワークに接続される複数の第２の画像処理装置から選択する送信先選択ステップを備えることを特徴とする請求項６記載のデータ転送方法。
【請求項９】
前記通信装置は、前記画像データを送受信するファクシミリ装置であることを特徴とする請求項６又は７記載のデータ転送方法。
【請求項１０】
請求項６乃至９のいずれか１項に記載のデータ転送方法をコンピュータに実行させることを特徴とするプログラム。
【発明の詳細な説明】
【技術分野】
【０００１】
本発明は、ネットワークに接続される画像処理装置と、当該画像処理装置から受信する画像データを公衆回線に接続される通信装置に転送する画像処理装置とを含む画像転送システムに関するものである。
【背景技術】
【０００２】
近年、ファクシミリ（以下、「ＦＡＸ」と称す）通信装置や電話回線といった資源を、ネットワークを介して共用することでコスト削減や資源の有効利用が図られている。
これらの多くはＦＡＸ送受信転送技術を応用したもので、転送に伴う様々な技術課題に対する解決技術（特許文献１参照）も知られている。
ＦＡＸ送受信転送技術を用いることで、ＦＡＸ機能を持たないＦＡＸ送信クライアントからＦＡＸ機能を持つＦＡＸ送信サーバを経由してＦＡＸの送信転送が可能となっている。
ＰＣが送信クライアントとなる場合は、ＰＣ上の電子文書をＦＡＸドライバによりネットワーク接続されたＦＡＸ送信サーバからＦＡＸ送信する。
また同様に、ＦＡＸ通信機能を持たない複写機や複合機が送信クライアントとなって、ネットワーク接続されたＦＡＸ送信サーバ経由でＦＡＸ送信することができる。
ＦＡＸ受信では、ＦＡＸ受信機能を持つＦＡＸ受信サーバが、ＦＡＸ受信機能を持たないＦＡＸ受信クライアントに受信転送し、クライアント側で受信文書を出力することができる。
【０００３】
すなわち、ＦＡＸ受信サーバは、受信した文書を電子化し、予め登録された転送条件に基づいて電子メールアドレスや別のＦＡＸ装置やプリンタへ転送する。ここで、受信転送機能では、発信者番号やＦコードなどＦＡＸ通信プロトコル上取得可能な情報を組み合わせて転送条件に利用することが一般的である。
【先行技術文献】
【特許文献】
【０００４】
【特許文献１】特開平９−５１３９５号公報
【発明の概要】
【発明が解決しようとする課題】
【０００５】
ＦＡＸ通信を送り手と受け手の双方向のコミュニケーション手段として捉えた場合、送信転送におけるクライアントから送った送信ＦＡＸに対する返信のＦＡＸを、同じクライアントで受信し出力することを容易に実現することが望ましい。
このような双方向通信は前述の従来技術である送信転送および受信転送機能を組み合わせることにより実現可能である。しかし、そのためにはユーザが煩雑で手間の掛かる運用や設定を行わなければならないというが課題があった。
第１に、返信のＦＡＸを同じクライアントで受信するためには、ＦＡＸの返信を行う相手機のユーザが受信サーバに設定されている受信転送条件の内容を意識しＦＡＸ送信する必要がある。ここで、受信転送条件に準じて送信しない場合、相手機からのＦＡＸは受信サーバに留まり転送はされず、受信クライアントには何ら届かない。つまり、送り手と受け手が受信転送条件の内容を予め取り交わしていなければ双方向通信が成り立たない。
第２に、受信転送条件が受信サーバに登録されていない場合は、発信者番号やＦコード、受信クライアントの選択などを行う複雑な受信転送条件を登録するという手間も発生する。
第３に、複数の受信サーバが分散して存在するシステムで、クライアントが空き回線のある受信サーバを動的に選択する場合、どの受信サーバに対して受信転送設定を行えばよいかユーザが予め知ることが困難となる。このため、全ての受信サーバに対して同様の受信転送設定を行う必要が生じてしまう。
【０００６】
本発明は、上記の課題を解決するためになされたもので、本発明の目的は、簡単な操作でクライアント側の画像処理装置から受信する画像データを外部の通信装置に送信したり、サーバ側の画像処理装置が通信装置から受信した画像データをクライアント側の画像処理装置が受信したりできる仕組みを提供することである。
【課題を解決するための手段】
【０００７】
上記目的を達成する本発明の画像転送システムは以下に示す構成を備える。
ネットワークを介して第１の画像処理装置から受信する画像データを第２の画像処理装置が公衆回線に接続される通信装置に対して転送する画像転送システムであって、前記第１の画像処理装置は、前記第２の画像処理装置が前記通信装置から受信した画像データを前記第１の画像処理装置に転送してもらうための識別情報の発行を前記第２の画像処理装置に要求する要求手段と、前記第２の画像処理装置から発行された前記識別情報と前記通信装置に送信すべき画像データと、前記通信装置を特定するための送信先情報とを前記ネットワークを介して前記第２の画像処理装置に送信する第１の送信手段と、を備え、前記第２の画像処理装置は、前記第１の画像処理装置からの要求に基づいて、前記通信装置から受信した画像データを前記第１の画像処理装置に転送するための識別情報を発行する発行手段と、前記第１の画像処理装置から受信する画像データ、前記識別情報、前記送信先情報を前記通信装置に送信する第２の送信手段と、前記通信装置から受信する画像データから取得する識別情報に基づいて特定される第１の画像処理装置に対して前記ネットワークを介して当該画像データを転送する転送手段と、を備えることを特徴とする。
【発明の効果】
【０００８】
本発明によれば、簡単な操作でクライアント側の画像処理装置から受信する画像データを外部の通信装置に送信したり、サーバ側の画像処理装置が通信装置から受信した画像データをクライアント側の画像処理装置が受信したりできる。
【図面の簡単な説明】
【０００９】
【図１】画像転送システムの構成を示すブロック図である。
【図２】ＭＦＰの詳細構成を示すブロック図である。
【図３】画像転送システムのデータ転送処理を示すフローチャートである。
【図４】記憶部に記憶するユーザ情報テーブルを示す図である。
【図５】操作パネル部に表示されるＵＩの一例を示す図である。
【図６】送信原稿画像と受信画像を示す図である。
【図７】ＭＦＰが保持する転送条件テーブルを示す図である。
【図８】画像転送システムのデータ転送処理を示すフローチャートである。
【図９】画像転送システムのデータ転送処理を示すフローチャートである。
【図１０】操作パネル部に表示されるＵＩの一例を示す図である。
【図１１】操作パネル部に表示されるＵＩの一例を示す図である。
【図１２】操作パネル部に表示されるＵＩの一例を示す図である。
【発明を実施するための形態】
【００１０】
次に本発明を実施するための最良の形態について図面を参照して説明する。
＜システム構成の説明＞
〔第１実施形態〕
以下、本発明の実施の形態について図面を用いて詳細に説明する。
図１は、本発明の実施形態を示す画像転送システムの構成を示すブロック図である。本実施形態では、ネットワークを介してファクシミリ通信機能を備えていないクライアント側の画像処理装置と、公衆回線を介してファクシミリ装置とデータ通信を行うサーバ側の画像処理装置とを含む画像転送システム例である。また、サーバ側、クライアント側の画像処理装置は、後述する複合機（ＭＦＰ）とし、通信装置がファクシミリ装置を例とするが、画像処理装置は、画像読み取り装置やプリンタ装置に接続される情報処理装置で構成されていてもよい。また、ファクシミリ装置は、ファクシミリ通信ソフトウエアと、通信コントローラとを備える構成であれば、ファクシミリ装置に限定されず、当該ファクシミリ通信ソフトウエアと、通信コントローラとを備える情報処理装置であってもよい。
【００１１】
図１において、ネットワーク１０５には、複写機能や印刷機能、送信機能を備える複合機であるＭＦＰ（Multi Function Peripheral）１０１、１０２、１０３、１０４が接続する。ＰＳＴＮ１０６には、ＭＦＰ１０１、１０３およびＦＡＸ１０７が接続されている。ここで、ＰＳＴＮとは、Ｐublic Ｓwitched Ｔelephone Ｎetworkの略で、加入電話網、一般公衆網、公衆電話回線が含まれる。
なお、本実施形態では、ファクシミリ通信機能を備えない第１の画像処理装置をＭＦＰ１０２、１０４で構成し、ファクシミリ通信機能を備える複数の第２の画像処理装置をＭＦＰ１０１、１０３で構成している。そして、ＭＦＰ１０２、１０４とＭＦＰ１０１、１０３とはネットワーク１０５を介して接続され、ＭＦＰ１０１、１０３は、ＰＳＴＮ１０６を介してＦＡＸ１０７に接続されている。また、以下の説明において、ネットワーク１０５は、典型的にはＬＡＮやＷＡＮにより構成されるがＭＦＰ１０１〜１０４相互間でデータ送受信が実現できる他のネットワーク構成に置き換えることも可能である。ＰＳＴＮ１０６は典型的には公衆電話回線であるが、ＩＳＤＮやＩＰ網、専用線などＦＡＸ通信可能なネットワーク構成であればよい。
次に、ＭＦＰ１０１〜１０４の構成について図２を用いて説明する。
【００１２】
図２は、図１に示したＭＦＰ１０１〜１０４の詳細構成を示すブロック図である。
図２において、原稿給紙装置（ＡＤＦ）を含む画像読取部１１０は、光学的に原稿を読み取った原稿画像をデジタル画像データとして出力する。記憶部１１１は、画像読取部１１０で読み取った画像データ他のデータを記憶する。
印刷部１１２は、記憶部１１１に記憶される画像データを記録媒体上に印刷する。画像処理部１１６は、記憶部１１１に記憶される画像を読み出して画像処理を施し、再び記憶部１１１に画像を出力する。なお、画像読取および印刷のための画像処理回路は、それぞれ画像読取部１１０および印刷部１１２に含まれる。
【００１３】
ＭＦＰは、ネットワークＩ／Ｆ１１７を介してネットワーク１０５に接続し、ＦＡＸ通信Ｉ／Ｆ１１８を介してＰＳＴＮ１０６に接続できる。
なお、図１に示したシステムの構成では、ＭＦＰ１０２、１０４はＰＳＴＮ１０６に接続しない構成となっている。
ＭＦＰへの操作者（ユーザ）の指示は、操作パネル部１１４から行われる。操作パネル部１１４はタッチパネルにより構成され、操作画面データの表示やユーザからの入力の受け付けをおこなう。
【００１４】
尚、操作パネル部１１４はタッチパネルでなくとも、キーボードやマウスなど他の入力デバイスおよび液晶ディスプレイなどの表示デバイスにより構成することも可能である。
制御部１１５は、操作パネル部１１４を介したユーザとの対話における一連の動作や、画像読み取り部１１０、記憶部１１１、印刷部１１２、画像処理部１１６、ネットワークＩ／Ｆ１１７、ＦＡＸ通信Ｉ／Ｆ１１８を制御して、ＭＦＰの複合機能を実現する。
また、本実施形態では、ＦＡＸ１０７はＭＦＰと同様の構成をとるものとするが、複合機能を備えない通常のファクシミリ装置の構成であってもよい。
次に、本実施形態の画像転送システムにおけるデータ送信転送のフローについて図３を用いて説明する。なお、本実施形態では、ＭＦＰ１０１とＭＦＰ１０３とがＰＳＴＮ１０６に接続可能に構成されている。したがって、ＭＦＰ０１とＭＦＰ１０３とは、ＭＦＰ１０２、１０４からの画像データをＦＡＸ１０７へ転送する処理と、ＦＡＸ１０７から受信したファクシミリシミデータを受信して、ＭＦＰ１０２、１０４へ転送する処理とを行う。
【００１５】
図３は、図１に示した画像転送システムのデータ転送処理を説明するフローチャートである。なお、Ｓ３０１〜Ｓ３１３は各ステップを示す。ＭＦＰ１０１、１０２における各ステップは、図２に示す制御部１１５が記憶部１１１に制御プログラムをロードして実行することで実現される。また、Ｓ３１３はＦＡＸ１０７のＣＰＵがＲＯＭに記憶される制御プログラムをＲＡＭにロードして実行することで実現される。以下、ユーザ３００が、ＭＦＰ１０２で読み取った原稿データをＦＡＸ１０７へ送信する処理例として説明する。なお、ＦＡＸ１０７からデータを受信する処理については、後述する。
本フローにおける画像データは以下の流れでＭＦＰ１０２からＦＡＸ１０７へ届けられる。
まず、ＭＦＰ１０２は、画像読取り部１１０で読み取った原稿の画像データを、ネットワーク１０５を介して接続しているＭＦＰ１０１に送る。
【００１６】
次に、ＭＦＰ１０１は、ＭＦＰ１０２から受信した原稿の画像データをＰＳＴＮ１０６に接続されたＦＡＸ１０７に送信する。そして、ＦＡＸ１０７は、ＭＦＰ１０１から受信したＦＡＸ受信画像を印刷出力する。以下に本フローの詳細を説明する。
まず、ＭＦＰ１０２はログイン機能を備え、操作パネル部１１４を操作するユーザ３００は、Ｓ３０１のログイン処理を通じてＭＦＰ１０２にログインする。
ＭＦＰは、記憶部１１１に図４に示すユーザ情報テーブルを記憶し、これを用いたユーザ名とパスワードによる既知のログイン機能を実現する。
【００１７】
図４は、図２に示した記憶部１１１に記憶するユーザ情報テーブル４０１の一例を示す図である。
図４において、ユーザ情報テーブル４０１は、ＵｓｅｒＩＤ４０２、ＵｓｅｒＮａｍｅ４０３、Ｐａｓｓｗｏｒｄ４０４、Ａｄｄｒ４０５、ＥｍａｉｌＡｄｄｒ４０６、ＰｈｏｎｅＮｏ４０７、ＦａｘＮｏ４０８、Ｆｃｏｄｅ４０９から構成される。
ＵｓｅｒＩＤ４０２は、ＭＦＰ１０２を操作するユーザを一意に識別するためのＩＤである。ＵｓｅｒＮａｍｅ４０３とＰａｓｓｗｏｒｄ４０４は、ログイン時のユーザ認証にユーザ名（ログイン名）とパスワードである。
【００１８】
Ａｄｄｒ４０５は、ユーザの住所情報である。ＥｍａｉｌＡｄｄｒ４０６はユーザの電子メールアドレスである。ＰｈｏｎｅＮｏ４０７は、ユーザの電話番号である。ＦａｘＮｏ４０８は、ユーザのＦＡＸ番号である。Ｆｃｏｄｅ４０９は、ユーザあてにＦＡＸ送信や転送を行うときにＦａｘＮｏ４０８と合わせて用いるＦコードである。なお、ユーザ情報テーブル４０１において、これらの情報で未登録の情報はテーブルにＮＵＬＬという値で記憶されている。
【００１９】
操作パネル部１１４を操作するユーザは、ユーザ情報テーブル４０１の列４１０に記憶されており、ＵｓｅｒＩＤ４０２は「ｕｉｄ０」、ＵｓｅｒＮａｍｅ４０３は「青空太郎」として登録されているユーザである。
次に、Ｓ３０２で、ＭＦＰ１０２は、制御部１１５は、ＦＡＸ送信設定処理を行う。これは、制御部１１５が操作パネル部１１４を制御してＦＡＸ送信設定画面を表示し、表示されたＧＵＩを通してユーザと対話形式でＦＡＸ送信設定を入力する処理である。ここで、ＧＵＩは、Graphical User Interfaceの略である。
この処理を通じて、ＦＡＸ１０７のＦＡＸ番号「０６‐９８７６‐５４３２」や送信解像度などの設定情報がＭＦＰ１０２に入力される。
次に、ユーザにより操作パネル部１１４上のスタートボタン（不図示）押下によるＦＡＸ送信開始要求を受けて、Ｓ３０３のＦＡＸ送信処理が開始される。
【００２０】
ここでは、ユーザが画像読取部１１０に載置した全ての原稿を送信設定に従って読み取り、記憶部１１１に記憶するまでの処理を行い、Ｓ３０４に移る。Ｓ３０４ではＦＡＸ転送を行うサーバ側の画像処理装置を選択する送信先選択処理を行う。なお、原稿は原稿給送装置から自動給紙される構成であってもよい。
本実施形態では、ＭＦＰ１０１とＭＦＰ１０３がＰＳＴＮ１０６を介してＦＡＸ１０７にＦＡＸを転送できるので、ＭＦＰ１０１とＭＦＰ１０３の一方をサーバ側の画像処理装置として選択する処理となる。
ここで、サーバ側の画像処理装置を選択するアルゴリズムとしては、ＰＳＴＮ１０６と接続する回線が話中でないものを選ぶものとする。また、両者とも話中の場合には早く通話が終わった方を選択し、両者とも回線に空きがある場合には任意の一方を選択する。
なお、Ｓ３０４ではサーバ側の画像処理装置をあるアルゴリズムに従って選択していたが、ユーザがあらかじめサーバ側の画像処理装置を登録しておき、これに従って送信サーバを決定する構成でもよい。
【００２１】
このようにして、Ｓ３０４でＭＦＰ１０１をサーバ側の画像処理装置として選択すると、次に、Ｓ３０５でクライアント側の画像処理装置において、設定確認処理を行う。
ここでは、図５に示す返信ＦＡＸ受信登録確認画面５０１を操作パネル部１１４に表示し、ユーザにＹＥＳ／ＮＯの選択を促す。ここで、ユーザがＹＥＳに対応するボタン５０２を選択した場合には、サーバとして機能するＭＦＰ１０１のＦＡＸ番号０３‐１２３４‐５６７８と、次のＳ３０６で取得するＦコードを含む情報が、ＦＡＸ１０７で受信する受信画像に付加される。ここで、ＭＦＰ１０１のＦＡＸ番号０３‐１２３４‐５６７８は、ＦＡＸ１０７に通知される送信先情報であって、ＦＡＸ１０７がＦＡＸを返信する場合に参照される。
具体的には、図６に示す送信原稿６０１は、ＦＡＸ１０７で受信画像６０２の形で受信される。ここで破線により囲まれたヘッダ部６０３には、発信者情報として発信者名称とＭＦＰ１０１のＦＡＸ番号とＦコードとが記載されている。
また、図５に示す返信ＦＡＸ受信登録確認画面５０１において、ユーザがＮＯに対応するボタン５０３を選択した場合にはヘッダ部にＦコードは記載されない。本実施形態ではヘッダ部に可読文字列としてＦＡＸ番号およびＦコードを付加しているが、付加する位置をヘッダ部に限定するものでない。付加する形式をバーコードなど可読文字列以外の形式を用いることも可能である。また、返信方法を記載した画像６０４を別途作成してもよい。
【００２２】
次に、Ｓ３０５でクライアント側の画像処理装置において設定確認処理を行う。ここでは、図５に示す返信ＦＡＸ受信登録確認画面５０１を操作パネル部１１４に表示し、ユーザにＹＥＳ／ＮＯに対応するボタンの選択を促す。
ここで、ユーザがＹＥＳに対応するボタン５０２を選択すると、Ｓ３０６へ進む。そして、Ｓ３０６はＦコード取得処理で、ＭＦＰ１０２がＭＦＰ１０１に対してＦコード発行要求を行う。このとき、ＭＦＰ１０２のクライアントＩＤとしてｃｉｄ１０２も合わせて通知する。ｃｉｄ１０２のクライアントからのＦコード発行要求を受けたＭＦＰ１０１は、Ｓ３０７でＦコード発行処理を行い、未使用の新規Ｆコードを発行して、ＭＦＰ１０２に発行したＦコードを通知する。ここで、Ｆコードは、ＰＳＴＮ１０６を介してＦＡＸ１０７から受信する受信データをＭＦＰ１０１、１０２がネットワーク１０５に接続されるＭＦＰ１０２、１０４を識別する識別情報として用いられる。
【００２３】
図３の例では、ＭＦＰ１０１が「１２３１２３１２３」というＦコードを発行し、ＭＦＰ１０２に通知している。ＭＦＰ１０２は、ＭＦＰ１０１より「１２３１２３１２３」というＦコードを受け取ると、Ｓ３０８へ進む。
そして、Ｓ３０８で、ＭＦＰ１０１に対して転送設定の送信を行う。転送設定としては、Ｓ３０６で取得したＦコード「１２３１２３１２３」とクライアントＩＤ（ｃｉｄ１０２）を送信する。ＭＦＰ１０２から転送設定を受信したＭＦＰ１０１はＳ３０９で転送設定処理を行う。
【００２４】
図７は、図１に示したＭＦＰ１０１が保持する転送条件テーブル７０１の一例を示す図である。
図７において、転送条件テーブル７０１は、発信者番号列７０２、Ｆコード列７０３、転送先列７０４からなるテーブルである。
ＭＦＰ１０１は、ＦＡＸ１０７からＦＡＸ受信すると、この転送条件テーブル７０１を参照し、受信した発信者番号とＦコードが転送条件テーブル７０１に登録されているものと合致したものがあるかどうかを判断する。そして、受信した発信者番号とＦコードが転送条件テーブル７０１に登録されているとＭＦＰ１０１が判断した場合は、当該転送条件テーブル７０１に従い、転送先に登録されているクライアント側の画像処理装置へ受信転送処理を行う。
例えば、発信者番号が、「０３‐３３３３‐４４４４」からのＦＡＸを受信し、Ｆコードに「５５５５」が指定されている場合、クライアントＩＤがｃｉｄ１０２の画像処理装置に受信した文書を転送する。
ここで、発信者番号やＦコードに「ＤＯＮＴ＿ＣＡＲＥ」という値が登録されている場合は、その項目に対する条件一致の判断を行ないことを意味する。
列７０５は、Ｓ３０９の転送設定処理で新たに登録された転送条件が追加されていた状態を示す。これにより発信者番号によらずＦコードに「１２３１２３１２３」が指定された受信は、転送先が「ｃｉｄ１０２」として識別されるＭＦＰ１０２に転送されることになる。
【００２５】
そして、Ｓ３０９の転送設定が完了し、Ｓ３０８の転送設定送信処理を抜けると、次にＳ３１０へ進む。
Ｓ３１０では、Ｓ３０３で読み取った原稿の画像データをＭＦＰ１０１に送信する第１の送信処理を実行する。ここで、画像データは、ＭＦＰ１０２からＭＦＰ１０１へ送信される第１の画像データに対応する。
具体的には、ＭＦＰ１０２は、原稿画像データと合わせて、ＦＡＸ送信の宛先であるＦＡＸ１０７のＦＡＸ番号「０６‐９８７６‐５４３２」と次の発信者情報を送る。この発信者情報には、発信者名として「青空太郎」、発信者番号として「０３‐１２３４‐５６７８」、Ｆコードとして「１２３１２３１２３」をＭＦＰ１０１に送信する。
Ｓ３１１で、ＭＦＰ１０１は、ＭＦＰ１０２からの送信データ（画像データを含む）を受信する。次に、Ｓ３１２で、ＭＦＰ１０２から受信した画像データのヘッダ部分に受信した発信者情報を付加した画像データを宛先ＦＡＸ１０７にＦＡＸ送信する第２の送信処理を実行する。
なお、ヘッダ部分に発信者情報を付加する処理は、Ｓ３１０でＭＦＰ１０２が行っても良いし、Ｓ３１１でＭＦＰ１０１が行っても良い。
一方、宛先ＦＡＸ１０７では、Ｓ３１３でＭＦＰ１０１から受信したＦＡＸの受信処理を行い、受信したデータを印刷出力する。
次に、本発明の画像転送システムにおける受信転送のフローについて図８を用いて説明する。
【００２６】
図８は、本実施形態を示す画像転送システムにおけるデータ転送処理の一例を示すフローチャートである。本例は、ＦＡＸ１０７から受信したデータをＭＦＰ１０２へ転送する処理例である。
なお、Ｓ８０１〜Ｓ８０６は各ステップを示す。ＭＦＰ１０１、１０２における各ステップは、図２に示す制御部１１５が記憶部１１１に制御プログラムをロードして実行することで実現される。以下、本例では、ＦＡＸ１０７からＭＦＰ１０１へＦコード「１２３１２３１２３」を指定してＦＡＸ送信し、ＭＦＰ１０１が受信したＦコードに基づきＦＡＸをＭＦＰ１０２へ受信転送する例を説明する。
Ｓ８０１で、ＦＡＸ１０７は送信する原稿の画像を読み取ってＭＦＰ１０１へ画像データをＦＡＸ送信するＦＡＸ送信処理を行う。ここで、ＦＡＸ１０７がＭＦＰ１０１へ送信する画像データが第２の画像データに対応する。
ＭＦＰ１０１ではＦＡＸ１０７からのＦＡＸ受信要求を受けると、Ｓ８０２で通常のＦＡＸ受信処理を行い、受信データを記憶部１１１に格納して、Ｓ８０３へ移る。
【００２７】
Ｓ８０３では、図７に示した転送条件テーブル７０１に基づき、受信したＦＡＸをネットワーク上の機器へ転送するかどうかの転送判定処理を行う。ここで、機器は、ＭＦＰ１０２、１０４である。
ここでの判定は前述の通り、Ｓ８０２のＦＡＸ受信処理で取得できた発信者番号とＦコードに基づいて行う。この例では受信したＦコード「１２３１２３１２３」が転送条件テーブル７０１の列７０５に登録されており、発信者番号はＤＯＮＴ＿ＣＡＲＥとなっている。
よって、取得した発信者番号に関わらず転送先のｃｉｄ１０２へ受信転送すると判定される。本判定処理で転送しないと判定した場合には、ＭＦＰ１０１は自機の印刷部１１２に受信ＦＡＸを印刷出力する。なお、受信したＦＡＸを記憶部１１１、例えばハードディスク等のボックス領域に保持して、指定された時刻、あるいは当該ボックス領域に対するユーザ認証後、印刷する構成としてもよい。
Ｓ８０３の転送判定処理で、ＭＦＰ１０１がｃｉｄ１０２への転送を判定したＭＦＰ１０１は、Ｓ８０４へ進む。
【００２８】
そして、Ｓ８０４で、ＭＦＰ１０１は、Ｓ８０２で受信した受信データをｃｉｄ１０２で識別されるＭＦＰ１０２へ送信する受信データ転送処理を行う。
この転送処理要求を受けたＭＦＰ１０２は、Ｓ８０５で、ＭＦＰ１０１から送信されるデータの受信処理を行い、Ｓ８０６へ進む。Ｓ８０６では、ＭＦＰ１０２は、Ｓ８０５でＭＦＰ１０１から受信したデータの印刷処理を行い印刷部１１２に受信データを印刷出力する。
【００２９】
これにより、ＦＡＸ１０７から受信したＦＡＸを受信可能なＭＦＰ１０１、１０３は、受信するデータに付加されているＦコードに従い、ネットワークに接続されるＭＦＰを特定して、指定されたＭＦＰに画像データを返信することができる。
このように本実施形態によれば、ＭＦＰ１０２、１０４のユーザは、ＭＦＰ１０１を選択して画像データをＦＡＸ１０７に送信する際に、ＭＦＰ１０２、１０４を識別するための情報をＭＦＰ１０１が自動的に設定することができる。したがって、ＭＦＰ１０２、１０４のユーザは、ＦＡＸから返信される画像データを受け取るための宛先設定や、ネットワーク上の転送先等を設定する操作負担が軽減される。
【００３０】
〔第２実施形態〕
上記第１実施形態では、新規に発行したＦコードに基づいてサーバ側の画像処理装置として機能するＭＦＰ１０１で新規に転送設定を登録した。そして、発行したＦコードを転送条件の情報として宛先ＦＡＸ１０７へ送信を行った。
第２実施形態では、既にサーバ側の画像処理装置として機能するＭＦＰ１０１、１０３に登録されている転送条件を利用する場合の処理について説明する。
【００３１】
図９は、本実施形態を示す画像転送システムにおけるデータ転送処理を説明するフローチャートである。なお、Ｓ９０１〜Ｓ９１２は各ステップを示す。ＭＦＰ１０１、１０２における各ステップは、図２に示す制御部１１５が記憶部１１１に制御プログラムをロードして実行することで実現される。以下、本実施形態における送信転送処理を説明する。また、Ｓ９０１〜Ｓ９０４の処理については、第１実施形態におけるＳ３０１〜Ｓ３０４の処理と同等である。以下、本例は、ＭＦＰ１０２が画像データをＭＦＰ１０１に対してＦＡＸ送信機能を用いた画像データ転送要求がなされた後の処理について説明する。
【００３２】
Ｓ９０５では、図１０に示すユーザインタフェースを用いて操作パネル部１１４に返信ＦＡＸ受信登録画面を表示して、受信クライアント設定確認処理を行う。
図１０〜図１２は、図２に示した操作パネル部１１４に表示されるユーザインタフェースの一例を示す図である。なお、図１０に示すユーザインタフェースは、返信ＦＡＸ受信登録画面例であり、図１１に示すユーザインタフェースは、転送条件使用の確認画面である。また、図１２に示すユーザインタフェースは、転送条件を選択する一覧画面である。なお、これらの画面情報は、記憶部１１１に記憶され、制御部１１５の制御の下で操作パネル部１１４に表示される。なお、これらの画面情報を、サーバ装置から取得してブラウザを用いて表示する構成として、最新の機能に対応したユーザインタフェースを表示可能としてもよい。
図１０において、制御部１１５が返信ＦＡＸ受信登録確認画面１００１を操作パネル部１１４に表示した後、ユーザがＹＥＳ／ＮＯに対応するボタン１００２、１００３のいずれかを選択するように促す。
ここで、ユーザがＹＥＳに対応するボタン１００３を選択すると、Ｓ９０６に進む。ここでは、制御部１１５が図１１に示す転送条件使用の確認画面１１０１を操作パネル部１１４に表示し、ユーザにＹＥＳ／ＮＯに対応するボタン１１０３、ボタン１１０２の選択を促す。なお、確認画面１１０１は、ＭＦＰ１０１から受信する画面データに基づいて、ＭＦＰ１０２の制御部１１５が操作パネル部１１４に表示する。
ここで、ユーザがＹＥＳに対応するボタン１１０２を選択すると、Ｓ９０７に進む。
【００３３】
一方、ユーザがＮＯに対応するボタン１１０３を選択すると、第１実施形態におけるＳ３０６以降の処理と同等となる。
そして、Ｓ９０７では、制御部１１５が図１２に示す転送条件選択画面１２０１を操作パネル部１１４に表示し、ユーザに返信ＦＡＸ用に使用する受信転送条件の選択を促す。なお、転送条件の一覧を示す転送条件選択画面１２０１は、ＭＦＰ１０１から受信する画面データに基づいて、ＭＦＰ１０２の制御部１１５が操作パネル部１１４に表示する。
【００３４】
図１２に示すのリスト１２０４〜１２０５に示す転送条件を選択し、ＹＥＳに対応するボタン１２０２を押下すると、Ｓ９０８に進む。そして、Ｓ９０８では選択された転送条件を記憶部１１１に一時的に記憶する。
次に、Ｓ９０９で、ＭＦＰ１０２はネットワーク１０５を介して原稿画像データのみをＭＦＰ１０１に送信する。
【００３５】
そして、Ｓ９１０で、ＭＦＰ１０１ではＭＦＰ１０２から送信されたデータを受信する。次に、Ｓ９１１では、ＭＦＰ１０２から受信した画像データのヘッダ部分に、Ｓ９０８で一時的に記憶した転送条件のＦコードと発信者番号を付加し、ＰＳＴＮ１０６を介して宛先ＦＡＸ１０７にＦＡＸ送信する。なお、受信転送フローに関しては第１実施形態と同様となる。
本実施形態によれば、ＭＦＰ１０２、１０４のユーザは、ＦＡＸ送信要求毎に、ＭＦＰ１０１，１０３にＦコードを発行することなくなり、Ｆコードの管理負担が軽減される。
【００３６】
なお、本発明の目的は、以下の処理を実行することによっても達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
この場合、記憶媒体から読み出されたプログラムコード自体が前述した実施の形態の機能を実現することになり、そのプログラムコード及び該プログラムコードを記憶した記憶媒体は本発明を構成することになる。
本発明の様々な例と実施形態を示して説明したが、当業者であれば、本発明の趣旨と範囲は、本明細書内の特定の説明に限定されるのではない。
【符号の説明】
【００３７】
１０１〜１０４  ＭＦＰ
１０５  ネットワーク
１０７  ＦＡＸ
１１５  制御部
１１６  画像処理部
【図１】
2010232973.tif 000003
【図２】
2010232973.tif 000004
【図３】
2010232973.tif 000005
【図４】
2010232973.tif 000006
【図５】
2010232973.tif 000007
【図６】
2010232973.tif 000008
【図７】
2010232973.tif 000009
【図８】
2010232973.tif 000010
【図９】
2010232973.tif 000011
【図１０】
2010232973.tif 000012
【図１１】
2010232973.tif 000013
【図１２】
2010232973.tif 000014